【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
視野を有するカメラと、
赤外光を生成するように構成された発光ダイオード（ＬＥＤ）アレイと、
前記ＬＥＤアレイに結合されたレンズのアレイであり、前記赤外光を前記カメラの前記視野に向けるように構成されたレンズのアレイと、
各ＬＥＤからの赤外光が前記視野内のそれぞれの部分に向けられるよう、前記視野を選択的に照らすように前記ＬＥＤアレイに選択的に電力供給するように構成されたコントローラと、
少なくとも１つのプロセッサと、
前記少なくとも１つのプロセッサに結合されたメモリであり、当該メモリは命令を格納するように構成され、前記命令は、前記少なくとも１つのプロセッサによって実行されるときに、前記少なくとも１つのプロセッサに、
前記カメラの前記視野内に位置するシーンの第１の画像をキャプチャするように、前記カメラを制御し、
前記少なくとも１つのプロセッサで、前記第１の画像から、前記視野の第１の部分内に人物の顔が存在することを決定し、
前記少なくとも１つのプロセッサで、前記ＬＥＤアレイのＬＥＤのうちのサブセットを選択し、該サブセットのＬＥＤは、該サブセットのＬＥＤから放たれる赤外光が前記視野の前記第１の部分に向けられて、該赤外光で前記人物の前記顔を照らすように、前記ＬＥＤアレイ内に位置しており、
前記コントローラで、前記ＬＥＤアレイのＬＥＤのうちの前記サブセットに選択的に電力供給し、前記サブセットは、前記視野の前記第１の部分に赤外光を向けて、該赤外光で前記人物の前記顔を照らすように構成され、
前記サブセットのＬＥＤに電力供給して、前記カメラで、前記シーンの第２の画像をキャプチャし、該第２の画像は、前記赤外光で照らされた前記人物の前記顔を含み、
前記少なくとも１つのプロセッサで、前記第２の画像から、前記第１の画像及び前記第２の画像内の前記人物の正体を決定する、
ことを有する動作を実行させる、メモリと、
を有するシステム。
【請求項２】
前記動作は更に、
前記ＬＥＤアレイ内の少なくとも２つのＬＥＤが相異なる電流値で電力供給されるように前記ＬＥＤアレイ内の各ＬＥＤに電力供給することによって、前記第１の画像をキャプチャするように前記コントローラを制御する、
ことを有する、請求項１に記載のシステム。
【請求項３】
前記動作は更に、
前記ＬＥＤアレイ内の各ＬＥＤに同じ第１の電流値で電力供給することによって、前記第１の画像をキャプチャするように前記コントローラを制御する、
ことを有する、請求項１に記載のシステム。
【請求項４】
前記動作は更に、
前記少なくとも１つのプロセッサで、前記第１の画像から、前記人物の前記顔が前記第１の画像において露出アンダーであることを決定し、
前記少なくとも１つのプロセッサで、前記第１の画像から、前記第１の電流値よりも大きい第２の電流値を決定する、
ことを有し、
前記コントローラは、前記サブセットのＬＥＤに前記第２の電流値で電力供給する、
請求項３に記載のシステム。
【請求項５】
前記ＬＥＤアレイ内のＬＥＤの数に前記第１の電流値を乗算したものが、前記サブセット内のＬＥＤの数に前記第２の電流値を乗算したものに実質的に等しい、請求項４に記載のシステム。
【請求項６】
前記動作は更に、
前記少なくとも１つのプロセッサで、前記第１の画像から、前記人物の前記顔が前記第１の画像において露出オーバーであることを決定し、
前記少なくとも１つのプロセッサで、前記第１の画像から、前記第１の電流値よりも小さい第２の電流値を決定する、
ことを有し、
前記コントローラは、前記サブセットのＬＥＤに前記第２の電流値で電力供給する、
請求項３に記載のシステム。
【請求項７】
前記ＬＥＤアレイ内のＬＥＤの数に前記第１の電流値を乗算したものが、前記サブセット内のＬＥＤの数に前記第２の電流値を乗算したものに実質的に等しい、請求項６に記載のシステム。
【請求項８】
入力に応答して前記第１の画像の前記キャプチャを引き起こすように構成された入力装置、
を更に有する請求項１に記載のシステム。
【請求項９】
前記入力装置は、前記カメラ上に位置するボタンであり、前記入力は、前記ボタンの押し下げである、請求項８に記載のシステム。
【請求項１０】
前記サブセットのＬＥＤは複数のＬＥＤを含む、請求項１に記載のシステム。
【請求項１１】
前記第２の画像がキャプチャされるとき、前記コントローラは、前記ＬＥＤアレイのＬＥＤのうちの前記サブセットのみに電力供給する、請求項１に記載のシステム。
【請求項１２】
前記ＬＥＤはＩＩＩ−Ｖ族化合物半導体から形成されている、請求項１に記載のシステム。
【請求項１３】
前記ＬＥＤはＧａＡｓから形成されている、請求項１に記載のシステム。
【請求項１４】
前記レンズはフレネルレンズである、請求項１に記載のシステム。
【請求項１５】
カメラで、該カメラの視野内に位置するシーンの第１の画像をキャプチャし、
前記カメラに結合された少なくとも１つのプロセッサで、前記第１の画像から、前記視野の第１の部分内に人物の顔が存在することを決定し、
前記少なくとも１つのプロセッサで、ＬＥＤアレイの発光ダイオード（ＬＥＤ）のうちのサブセットを選択し、該サブセットのＬＥＤは、該サブセットのＬＥＤから放たれる赤外光が前記視野の前記第１の部分に向けられて、該赤外光で前記人物の前記顔を照らすように、前記ＬＥＤアレイ内に位置しており、
前記ＬＥＤアレイに結合されたコントローラで、前記ＬＥＤアレイのＬＥＤのうちの前記サブセットに選択的に電力供給し、
前記サブセットのＬＥＤからの赤外光を、前記ＬＥＤアレイに結合されたレンズのアレイを通して前記視野の前記第１の部分に向けて、該赤外光で前記人物の前記顔を照らし、
前記サブセットのＬＥＤに電力供給して、前記カメラで、前記シーンの第２の画像をキャプチャし、該第２の画像は、前記赤外光で照らされた前記人物の前記顔を含み、
前記少なくとも１つのプロセッサで、前記第２の画像から、前記第１の画像及び前記第２の画像内の前記人物の正体を決定する、
ことを有する方法。
【請求項１６】
当該方法は更に、
前記少なくとも１つのプロセッサで、前記第１の画像から、前記人物の前記顔が前記第１の画像において露出アンダーであることを決定し、
前記少なくとも１つのプロセッサで、前記第１の画像から、前記第１の電流値よりも大きい第２の電流値を決定する、
ことを有し、
前記コントローラは、前記サブセットのＬＥＤに前記第２の電流値で電力供給する、
請求項１５に記載の方法。
【請求項１７】
前記ＬＥＤアレイ内のＬＥＤの数に前記第１の電流値を乗算したものが、前記サブセット内のＬＥＤの数に前記第２の電流値を乗算したものに実質的に等しい、請求項１６に記載の方法。
【請求項１８】
当該方法は更に、
前記少なくとも１つのプロセッサで、前記第１の画像から、前記人物の前記顔が前記第１の画像において露出オーバーであることを決定し、
前記少なくとも１つのプロセッサで、前記第１の画像から、前記第１の電流値よりも小さい第２の電流値を決定する、
ことを有し、
前記コントローラは、前記サブセットのＬＥＤに前記第２の電流値で電力供給する、
請求項１５に記載の方法。
【請求項１９】
前記ＬＥＤアレイ内のＬＥＤの数に前記第１の電流値を乗算したものが、前記サブセット内のＬＥＤの数に前記第２の電流値を乗算したものに実質的に等しい、請求項１８に記載の方法。
【請求項２０】
視野を有するカメラと、
赤外光を生成するように構成された発光ダイオード（ＬＥＤ）アレイと、
前記ＬＥＤアレイに結合されたレンズのアレイであり、前記赤外光を前記カメラの前記視野に向けるように構成されたレンズのアレイと、
各ＬＥＤからの赤外光が前記視野内のそれぞれの部分に向けられるよう、前記視野を選択的に照らすように前記ＬＥＤアレイに選択的に電力供給するように構成されたコントローラと、
少なくとも１つのプロセッサと、
前記少なくとも１つのプロセッサに結合されたメモリであり、当該メモリは命令を格納するように構成され、前記命令は、前記少なくとも１つのプロセッサによって実行されるときに、前記少なくとも１つのプロセッサに、
前記コントローラで、前記ＬＥＤアレイ内の各ＬＥＤに第１の電流値で電力供給し、
前記ＬＥＤアレイのＬＥＤに前記第１の電流値で電力供給して、前記カメラの前記視野内に位置するシーンの第１の画像をキャプチャするように前記カメラを制御し、
前記少なくとも１つのプロセッサで、前記第１の画像から、前記視野の第１の部分内に人物の顔が存在することを決定し、
前記少なくとも１つのプロセッサで、前記ＬＥＤアレイのＬＥＤのうちのサブセットを選択し、該サブセットのＬＥＤは、該サブセットのＬＥＤから放たれる赤外光が前記視野の前記第１の部分に向けられて、該赤外光で前記人物の前記顔を照らすように、前記ＬＥＤアレイ内に位置しており、
前記コントローラで、前記サブセット内の各ＬＥＤに、前記第１の電流値とは異なる第２の電流値で選択的に電力供給し、前記サブセットは、前記視野の前記第１の部分に赤外光を向けて、該赤外光で前記人物の前記顔を照らすように構成され、
前記サブセットのＬＥＤに前記第２の電流値で電力供給して、前記カメラで、前記シーンの第２の画像をキャプチャし、該第２の画像は、前記赤外光で照らされた前記人物の前記顔を含み、
前記少なくとも１つのプロセッサで、前記第２の画像から、前記第１の画像及び前記第２の画像内の前記人物の正体を決定する、
ことを有する動作を実行させる、メモリと、
を有するシステム。